(57)【特許請求の範囲】
【請求項１】
床面に固定する架台と、架台から立設され衛生器具及び仕上げパネルを取り付けるパネルフレームとからなる自立型ユニットフレームを備え、
該パネルフレームの上縁および左右側縁にはＬ型アングルが取り付けられ、該Ｌ型アングルには、周辺壁と仕切るための見切り材を後付けできるように構成されていることを特徴とする衛生器具の取付装置。
【請求項２】
前記見切り材は、前記Ｌ型アングルに固定する片と、前記周辺壁の端部を覆うことのできる片を有していることを特徴とする請求項１に記載の衛生器具の取付装置。
【請求項３】
前記Ｌ型アングルは、パネルフレームに対し前後方向の位置調整が可能に設けられていることを特徴とする請求項１または請求項２に記載の衛生器具の取付装置。
【請求項４】
上縁および左右側縁にＬ型アングルが設けられたパネルフレームを備えた自立型ユニットフレームを固定する工程と、前記自立型ユニットフレームの給水管および排水管を連結する工程と、前記自立型ユニットフレームの周辺の壁工事の終了後に前記Ｌ型アングルに見切り材を取り付ける工程と、前記自立型ユニットフレームに対し衛生器具を取り付ける工程と、を含むことを特徴とする衛生器具の取付方法。
【発明の詳細な説明】
【技術分野】
【０００１】
本発明は、大便器等の衛生器具の取付装置および取付方法に関するものである。
【背景技術】
【０００２】
従来、特許文献１に開示されているように、大便器を支持する架台と、仕上げパネルの取付面となるパネルフレームと、門型状の見切り枠が一体化された自立型ユニットフレームを用いて、大便器等の衛生器具を周辺の壁部から独立させて自立型ユニットフレームに取り付ける取付構造が存在する。
【特許文献１】特開２００６−２８３５２０号公報
【発明の開示】
【発明が解決しようとする課題】
【０００３】
上記従来の衛生器具の取付構造では、パネルフレームと見切り枠が一体に構成されており、パネルフレームに対する上方および左右側方のそれぞれの周辺壁間で段差が周辺の壁下地工事が終了後に生じないように、パネルフレームの位置を調整して施工している。しかし、施工誤差をゼロにするのは困難であり、周辺壁取り付け後に施工誤差が生じたことが分かっても、自立型ユニットフレーム全体を前後に位置調節するのは非常に困難であり、周辺壁の施工誤差を良好に吸収することはできないという問題点があった。
【課題を解決するための手段】
【０００４】
本発明は上記従来の問題点に鑑み案出したものであって、周辺壁の施工誤差を良好に吸収して、周辺壁との段差のないすっきりとした施工状態が得られる衛生器具の取付装置および衛生器具の取付方法を提供するものであり、その請求項１は、床面に固定する架台と、架台から立設され衛生器具及び仕上げパネルを取り付けるパネルフレームとからなる自立型ユニットフレームを備え、該パネルフレームの上縁および左右側縁にはＬ型アングルが取り付けられ、該Ｌ型アングルには、周辺壁と仕切るための見切り材を後付けできるように構成されていることである。
【０００５】
また、請求項２は、前記見切り材は、前記Ｌ型アングルに固定する片と、前記周辺壁の端部を覆うことのできる片を有していることである。
【０００６】
また、請求項３は、前記Ｌ型アングルは、パネルフレームに対し前後方向の位置調整が可能に設けられていることである。
【０００７】
また、衛生器具の取付方法は、上縁および左右側縁にＬ型アングルが設けられたパネルフレームを備えた自立型ユニットフレームを固定する工程と、前記自立型ユニットフレームの給水管および排水管を連結する工程と、前記自立型ユニットフレームの周辺の壁工事の終了後に前記Ｌ型アングルに見切り材を取り付ける工程と、前記自立型ユニットフレームに対し衛生器具を取り付ける工程と、を含むことである。
【発明の効果】
【０００８】
本発明の衛生器具の取付装置は、床面に固定する架台と、架台から立設され衛生器具及び仕上げパネルを取り付けるパネルフレームとからなる自立型ユニットフレームを備え、該パネルフレームの上縁および左右側縁にはＬ型アングルが取り付けられ、該Ｌ型アングルには、周辺壁と仕切るための見切り材を後付けできるように構成されていることにより、自立型ユニットフレームが設置され、その後に周辺の壁工事が行われた後に、自立型ユニットフレームのパネルフレームに取り付けられているＬ型アングルに対して見切り材を後付けして、見切り材により自立型ユニットフレームと周辺壁とを仕切ることができる。
なお、見切り材を付ける前にＬ型アングルが周辺壁の施工のガイドとなることで、周辺壁の施工誤差を小さくして、すっきりとした設置状態が得られるものとなる。
【０００９】
また、前記見切り材は、前記Ｌ型アングルに固定する片と、前記周辺壁の端部を覆うことのできる片を有していることにより、自立型ユニットフレームのＬ型アングルに見切り材を固定すると、良好に周辺壁の端部を見切り材で覆うことができ、見映え良くすっきりとした設置状態が得られるものとなる。
【００１０】
また、前記Ｌ型アングルは、パネルフレームに対し前後方向の位置調整が可能に設けられていることにより、周辺壁の厚さに対応させてＬ型アングルを前後に動かして前後位置を調整することができ、周辺壁との間に段差が生ずることなく面一状となるように良好に調整することができる。
また、Ｌ型アングルを介して周辺壁の工事の後においても、前後位置を調整して、周辺壁の施工誤差を良好に吸収して、周辺壁との間に段差が生じないようにすっきりと設置することができるものとなる。
【００１１】
また、衛生器具の取付方法は、上縁および左右側縁にＬ型アングルが設けられたパネルフレームを備えた自立型ユニットフレームを固定する工程と、前記自立型ユニットフレームの給水管および排水管を連結する工程と、前記自立型ユニットフレームの周辺の壁工事の終了後に前記Ｌ型アングルに見切り材を取り付ける工程と、前記自立型ユニットフレームに対し衛生器具を取り付ける工程と、を含むこととしたため、自立型ユニットフレームを設置して、その周辺の壁工事が終了した後にＬ型アングルに見切り材を取り付けて、見切り材により自立型ユニットフレームと周辺壁を良好に仕切り、すっきりとした設置状態が得られるものとなる。
【実施例】
【００１２】
以下、本発明の実施例を図面に基づいて説明する。
図１は、壁掛け式大便器の設置状態の正面構成図であり、床Ｆ上に設置された自立型ユニットフレーム１は周辺壁Ｗと分離されて設置され、自立型ユニットフレーム１と周辺壁Ｗとを仕切る見切り材２，２，２が、自立型ユニットフレーム１の上縁および左右両側縁に周辺壁Ｗの工事の後に取り付けられて、その後に自立型ユニットフレーム１の前面には仕上げパネル３が取り付けられ、仕上げパネル３の前面に大便器４が取り付けられるものである。
【００１３】
図２は、自立型ユニットフレーム１の設置状態の正面側からの透視図であり、また図３は、自立型ユニットフレーム１による大便器４の取付状態の側面断面構成図であり、図４は、更に図３の要部を拡大して示している。
自立型ユニットフレーム１は、床Ｆにアンカーボルト７，７を介して固定状に設置される架台５と、枠組み形成されたパネルフレーム６と、パネルフレーム６の上縁および左右側縁に取り付けられたＬ型アングル８，８，８で構成されており、架台５からパネルフレーム６が立設され、パネルフレーム６には、フラッシュバルブ１１の取付部や給水管の接続部等が設けられており、また、架台５の前面には排水口９が設けられ、排水口９には横方向に延びる横引き配管１０が接続されている。
【００１４】
また、パネルフレーム６に予め取り付けられているＬ型アングル８は、図４の拡大図で示すように、パネルフレーム６の上縁および左右の側縁にそれぞれ取り付けられて正面視門型状に配置されている。
各Ｌ型アングル８は、パネルフレーム６にＬアングル固定ネジ２０を介して固定された固定片８ａと、固定片８ａのパネルフレーム６前面側から直角に折り曲げられた案内片８ｂでＬ字状断面に形成されており、Ｌ型アングル８の固定片８ａには前後方向に延びる図示しない長孔が形成されていて、この長孔を介してＬ型アングル８はパネルフレーム６に対し前後方向の位置を調節できるように構成されている。
【００１５】
また、このＬ型アングル８に後付けされる見切り材２は、Ｌ型アングル８の案内片８ｂにネジ２１を介して当接状に固定される固定片２ａと、固定片２ａの端部から前方側へ延びる端面覆蓋片２ｂと、端面覆蓋片２ｂの先端で直角に固定片２ａと反対側に折り曲げられた前面覆蓋片２ｃで階段状断面に形成されており、この見切り材２の固定片２ａをＬ型アングル８にネジ２１で固定した時には、見切り材２の端面覆蓋片２ｂと前面覆蓋片２ｃで、周辺壁Ｗを構成する周辺壁下地Ｗａの端部を覆うことができるように構成されている。なお、上縁および左右の側縁にそれぞれ取り付けられ正面視門型状に配置される各見切り材２は、上縁，左右縁の合わせ部分でぴったりと当接するように、４５°にカットされた端縁を備えている。
【００１６】
次に、施工手順を説明する。
先ず、架台５とパネルフレーム６と門型状に配置されたＬ型アングル８，８，８が一体化された自立型ユニットフレーム１を、図５に示すように、床Ｆにアンカーボルト７で固設し、床Ｆの所定位置に自立型ユニットフレーム１を設置する。
【００１７】
次に、図６に示すように、自立型ユニットフレーム１の架台５に設けられた排水口９に接続されている横引き配管１０に対して、床面側へ排水を導く排水用エルボ１２を接続し、また、パネルフレーム６のフラッシュバルブ１１に対して中水給水管１３を接続し、更に、温水洗浄便座の給水として上水給水管１４を接続して施工する。なお、本実施例では、便器洗浄水に中水を利用しているが、便器洗浄水と温水洗浄便座の給水を上水給水管１本で構成しても良い。
【００１８】
その後に、図７に示すように、壁施工業者により自立型ユニットフレーム１の周辺に周辺壁Ｗが施工されるのであるが、床Ｆ上に下ランナー１５を固設し、また天井側には上ランナー１６を固設し、下ランナー１５と上ランナー１６間に縦方向に複数本の縦軽量形鋼１７，１７，１７を立設させ、各縦軽量形鋼１７，１７間を貫通させて振れ止め用の棒鋼１８を横方向に配設して施工する。
なお、縦軽量形鋼１７は、自立型ユニットフレーム１に設けられている左右側縁のＬ型アングル８に沿わせて良好に位置合わせして施工することができ、また、上縁側のＬ型アングル８に沿わせて、その上方に横軽量形鋼１７ａを良好に位置合わせして施工することができ、施工が容易なものとなる。
その後に、縦軽量形鋼１７および横軽量形鋼１７ａの前面に、図３および図４に示すようにビス２２を介して周辺壁下地Ｗａを取り付け、その後に周辺壁下地Ｗａの表面に仕上げを施して周辺壁Ｗが形成される。なお、各Ｌ型アングル８の案内片８ｂが周辺壁下地Ｗａの施工のガイドとなる。
【００１９】
この壁施工業者による周辺壁Ｗの仕上げ工事が終わった後に、図８に示すように、自立型ユニットフレーム１と周辺壁Ｗを仕切る見切り材２が、衛生器具のユニット業者により取り付けられる。
即ち、自立型ユニットフレーム１の上縁側のＬ型アングル８および左右側縁のＬ型アングル８，８の案内片８ｂ，８ｂに、それぞれ見切り材２の固定片２ａをネジ２１で固定し、見切り材２の端面覆蓋片２ｂと前面覆蓋片２ｃで周辺壁Ｗの端部を覆うことができ、すっきりとした設置状態が得られるものである。
なお、周辺壁下地Ｗａの厚みに対応させて、予めＬ型アングル８の前後位置を調整しておけば、Ｌ型アングル８に見切り材２を取り付けることで、周辺壁Ｗの前後方向の施工誤差を良好に見切り材２で隠して吸収することができるものであり、また、見切り材２をＬ型アングル８にネジ２１で固定した後においても、固定ネジ２０を緩めてＬ型アングル８の前後位置を調整することで、良好に周辺壁Ｗの施工誤差を吸収することができるものである。さらに、Ｌ型アングル８に周辺壁下地Ｗａをビスで固定するようにすれば、Ｌ型アングル８より若干浮いていることによる周辺壁下地Ｗａの施工誤差を吸収可能である。
【００２０】
その後に、図９に示すように、自立型ユニットフレーム１のパネルフレーム６の前面に仕上げパネル３を図３および図４に示すように取り付け、更に仕上げパネル３の下部前面に大便器４を取り付けることができるものである。なお、仕上げパネル３を取り付けた時には、この仕上げパネル３と周辺壁Ｗ間に段差が生ずることなく面一状にすっきりとした設置状態が得られるものである。
【００２１】
なお、本例では、壁掛け式大便器の設置施工を例示しているが、ユニットフレーム１の上縁側のＬ型アングル８および左右側縁のＬ型アングル８，８に、それぞれ見切り材２を後付けで固定し、見切り材２で周辺壁Ｗの端部を覆うことができる構造は、床置きタイプの大便器や小便器においても、更に、その他の衛生器具の取り付けにおいても、適用が可能である。
【図面の簡単な説明】
【００２２】
【図１】壁掛け式大便器の設置状態の正面構成図である。
【図２】設置状態の正面透視図である。
【図３】設置状態の側面断面構成図である。
【図４】図３の要部拡大構成図である。
【図５】施工手順を示し、自立型ユニットフレームを床に設置した状態図である。
【図６】更に設置した自立型ユニットフレームに配管を接続する工程図である。
【図７】更に設置した自立型ユニットフレームの周辺に軽量形鋼を施工し、周辺壁を施工する工程図である。
【図８】周辺壁の施工後に、周辺壁と自立型ユニットフレームを仕切る見切り材を取り付ける工程図である。
【図９】更に自立型ユニットフレームの前面に仕上げパネルと大便器を取り付けた施工工程図である。
【符号の説明】
【００２３】
１  自立型ユニットフレーム
２  見切り材
２ａ  固定片
２ｂ  端面覆蓋片
２ｃ  前面覆蓋片
３  仕上げパネル
４  大便器
５  架台
６  パネルフレーム
７  アンカーボルト
８  Ｌ型アングル
８ａ  固定片
８ｂ  案内片
９  排水口
１０  横引き配管
１２  排水用エルボ
１３，１４  給水管
１７  縦軽量形鋼
１７ａ  横軽量形鋼
１８  棒鋼
２０  Ｌ型アングル固定ネジ
２１  ネジ
２２  ビス
Ｆ  床
Ｗ  周辺壁
Ｗａ  周辺壁下地
【図１】
0004974793.tif 000002
【図２】
0004974793.tif 000003
【図３】
0004974793.tif 000004
【図４】
0004974793.tif 000005
【図５】
0004974793.tif 000006
【図６】
0004974793.tif 000007
【図７】
0004974793.tif 000008
【図８】
0004974793.tif 000009
【図９】
0004974793.tif 000010